(57)【要約】  本発明はオープンウェッジ高位脛骨骨切り術のための固定器具に関し、脛骨骨切り術によって切開された脛骨に設けられるオープンウェッジ高位脛骨骨切り術のための固定器具であって、複数のヘッドナット孔が形成されたヘッド部と、上部ナット孔、下部ナット孔および前記上部ナット孔と前記下部ナット孔との間に形成される長孔を備え、前記ヘッド部の一側から突出して形成された細長型プレートとを含む固定プレート、前記ヘッドナット孔、前記上部ナット孔、および前記下部ナット孔に結合されて前記固定プレートを前記脛骨に固定させるスクリュー、および前記ヘッド部側に備えられる前記上部ナット孔から既に設定された間隔で離隔して形成された前記長孔に沿って移動して設けられる支持スクリューを含む。それにより、高位脛骨骨切り術の施術によって広げられた脛骨に密着して固定され、前記脛骨が堅固に癒合できるようにする。
2017511194.tif 000002
【特許請求の範囲】
【請求項１】
オープンウェッジ脛骨骨切り術によって切開された脛骨に設けられるオープンウェッジ高位脛骨骨切り術のための固定器具であって、
複数のヘッドナット孔が形成されたヘッド部と、上部ナット孔、下部ナット孔および前記上部ナット孔と前記下部ナット孔との間に形成される長孔を備え、前記ヘッド部の一側から突出して形成された細長型プレートとを含む固定プレート、
前記ヘッドナット孔、前記上部ナット孔、および前記下部ナット孔に結合されて前記固定プレートを前記脛骨に固定させるスクリュー、および
前記ヘッド部側に備えられる前記上部ナット孔から既に設定された間隔で離隔して形成された前記長孔に沿って移動して設けられる支持スクリュー
を含むことを特徴とするオープンウェッジ高位脛骨骨切り術のための固定器具。
【請求項２】
前記ヘッド部は所定の曲率で湾曲して形成されることを特徴とする、請求項１に記載のオープンウェッジ高位脛骨骨切り術のための固定器具。
【請求項３】
前記ヘッド部が湾曲して形成されることにより、
前記ヘッド部の中心を基準に両側に設けられる前記スクリューは前記曲率の中心に向かって傾斜して設けられることを特徴とする、請求項２に記載のオープンウェッジ高位脛骨骨切り術のための固定器具。
【請求項４】
前記ヘッド部の中心と前記曲率の中心をつなぐ中心線に向かって設けられるが、前記ヘッド部の中心を基準に両側に設けられる前記スクリューの先端は前記中心線から離隔して設けられることを特徴とする、請求項２に記載のオープンウェッジ高位脛骨骨切り術のための固定器具。
【請求項５】
前記ヘッドナット孔は前記細長型プレート方向に８〜１２度の傾きで傾斜して形成されることを特徴とする、請求項１に記載のオープンウェッジ高位脛骨骨切り術のための固定器具。
【請求項６】
前記ヘッド部の他側は傾斜角を有するように傾斜して形成されることを特徴とする、請求項１に記載のオープンウェッジ高位脛骨骨切り術のための固定器具。
【請求項７】
前記傾斜角は５〜７度であることを特徴とする、請求項６に記載のオープンウェッジ高位脛骨骨切り術のための固定器具。
【請求項８】
前記ヘッド部と延設される前記細長型プレートの一領域は曲げ角度を有するように折り曲げられて形成されることを特徴とする、請求項１に記載のオープンウェッジ高位脛骨骨切り術のための固定器具。
【請求項９】
前記曲げ角度は１３〜１６度であることを特徴とする、請求項８に記載のオープンウェッジ高位脛骨骨切り術のための固定器具。
【請求項１０】
前記細長型プレートの幅は所定の曲率で湾曲して形成されることを特徴とする、請求項１に記載のオープンウェッジ高位脛骨骨切り術のための固定器具。
【請求項１１】
複数の前記下部ナット孔は前記細長型プレートの長さ方向に沿ってジグザグ形態になるように配置されることを特徴とする、請求項１に記載のオープンウェッジ高位脛骨骨切り術のための固定器具。
【請求項１２】
前記上部ナット孔に設けられる前記スクリューは前記ヘッド部側に傾斜して設けられることを特徴とする、請求項１に記載のオープンウェッジ高位脛骨骨切り術のための固定器具。
【請求項１３】
前記上部ナット孔に設けられる前記スクリューの長さは前記ヘッド部に設けられるスクリューより小さいことを特徴とする、請求項１２に記載のオープンウェッジ高位脛骨骨切り術のための固定器具。
【請求項１４】
前記固定プレートはガイドピンが設けられるように形成された少なくとも３つのガイド孔を含むことを特徴とする、請求項１に記載のオープンウェッジ高位脛骨骨切り術のための固定器具。
【請求項１５】
前記ヘッド部には２つの前記ガイド孔が形成され、前記細長型プレートには１つの前記ガイド孔が形成されるが、前記細長型プレートに形成される前記ガイド孔は膝蓋骨側に形成されることを特徴とする、請求項１４に記載のオープンウェッジ高位脛骨骨切り術のための固定器具。
【請求項１６】
既に設定された前記間隔は１７〜２１ｍｍであることを特徴とする、請求項１に記載のオープンウェッジ高位脛骨骨切り術のための固定器具。
【発明の詳細な説明】
【技術分野】
【０００１】
本発明はオープンウェッジ高位脛骨骨切り術のための固定器具に関する。より詳しくは、本発明は、内側の高位脛骨骨切り術の後に広げられた脛骨に固定され、前記脛骨が堅固に癒合できるようにするオープンウェッジ高位脛骨骨切り術のための固定器具に関する。
【背景技術】
【０００２】
退行性関節炎は、膝の内側関節の軟骨がすりへる程度が深刻になることにつれて曲がった脚になって疼痛を誘発し、立っていたり歩いたりする時に体重が片側に集中して関節炎の進行と痛みがより深刻になる。
【０００３】
このような内側変形脚に対する手術は、内側近位脛骨の膝近くで骨切り術を施した後に金属板を用いて固定する方法が用いられている。
【０００４】
高位脛骨骨切り術は、脛骨の近位部に骨切り術を加えて膝関節の内側に集中している体重負荷をより外側に分散させて痛みを減少させる方法である。
【０００５】
図１に示すように、股関節中心から足首中心にひいた線を下肢の軸とする時、前記線は歩行時の体重負荷線を意味し、正常な場合、前記線は膝の中央を過ぎるようになる。
【０００６】
よって、高位脛骨骨切り術は前記線が膝の中央を過ぎるようにする施術をいう。それにより、手術後にしゃがんだり走る運動などの比較的に正常な関節運動が可能となる。
【０００７】
それと関連した発明としては、大韓民国特許登録公報第１０−１２５３９１５号（２０１３．０４．０５）の「高位脛骨骨切り術用結束具」がある。
図２を参照すれば、前記高位脛骨骨切り術用結束具は、軟骨の傷部位を縫って残った医療用糸が通過できる長孔形状の貫通孔が形成されることを特徴とする。
【０００８】
しかし、前記高位脛骨骨切り術用結束具に記載された結束本体１０の場合、平板の形態であるため、高位脛骨骨切り術の施術時に脛骨の外面に密着力が落ちるという問題がある。
【０００９】
また、結束本体１０の固定時、結束本体１０を別途の道具を用いて固定してねじ１１を結合するか、施術者が結束本体１０をつかんでねじ１１を結合しなければならないため、結束本体１０の位置選定および固定に困難がある。
そのため、施術時間が延びるという問題がある。
【発明の概要】
【発明が解決しようとする課題】
【００１０】
そこで、本発明は前記問題点を解決するためのものであり、内側の高位脛骨骨切り術の後に広げられた脛骨に固定され、前記脛骨が堅固に癒合できるようにするオープンウェッジ高位脛骨骨切り術のための固定器具を提供することをその目的とする。
【００１１】
また、オープンウェッジ高位脛骨骨切り術によって切開された前記脛骨に密着して固定されて手術および脛骨の癒合を容易にし、前記脛骨に印加される荷重を支持するオープンウェッジ高位脛骨骨切り術のための固定器具を提供することをその目的とする。
【課題を解決するための手段】
【００１２】
前記目的は、本発明により、オープンウェッジ脛骨骨切り術によって切開された脛骨に設けられるオープンウェッジ高位脛骨骨切り術のための固定器具であって、複数のヘッドナット孔が形成されたヘッド部と、上部ナット孔、下部ナット孔および前記上部ナット孔と前記下部ナット孔との間に形成される長孔を備え、前記ヘッド部の一側から突出して形成された細長型プレートとを含む固定プレート、前記ヘッドナット孔、前記上部ナット孔、および前記下部ナット孔に結合されて前記固定プレートを前記脛骨に固定させるスクリュー、および前記ヘッド部側に備えられる前記上部ナット孔から既に設定された間隔で離隔して形成された前記長孔に沿って移動して設けられる支持スクリューを含むことを特徴とするオープンウェッジ高位脛骨骨切り術のための固定器具によって達成される。
ここで、前記ヘッド部は所定の曲率で湾曲して形成されてもよい。
【００１３】
そして、前記ヘッド部が湾曲して形成されることにより、前記ヘッド部の中心に形成される前記ヘッドナット孔の両側に形成される前記ナット孔に設けられるスクリューは前記曲率の中心に向かって傾斜して設けられてもよい。
【００１４】
また、前記ヘッド部の中心と前記曲率の中心をつなぐ中心線に向かって設けられるが、前記ヘッド部の中心を基準に両側に設けられる前記スクリューの先端は前記中心線から離隔して設けられてもよい。
【００１５】
なお、前記ヘッド部に形成されたナット孔は前記細長型プレート方向に８〜１２度の傾きで傾斜して形成されてもよい。
【００１６】
さらに、前記ヘッド部の他側は傾斜角を有するように傾斜して形成されてもよい。
ここで、前記傾斜角は５〜７度であることを特徴とする。
【００１７】
また、前記ヘッド部と延設される前記細長型プレートの一領域は曲げ角度を有するように折り曲げられて形成されてもよい。
【００１８】
ここで、前記曲げ角度は１３〜１６度であることを特徴とする。
また、前記細長型プレートの幅は所定の曲率で湾曲して形成されてもよい。
【００１９】
なお、複数の前記下部ナット孔は前記細長型プレートの長さ方向に沿ってジグザグ形態になるように配置されてもよい。
【００２０】
一方、前記上部ナット孔に設けられる前記スクリューは前記ヘッド部側に傾斜して設けられてもよい。
【００２１】
そして、前記上部ナット孔に設けられる前記スクリューの長さは前記ヘッド部に設けられるスクリューより小さいことを特徴とする。
【００２２】
また、前記固定プレートはガイドピンが設けられるように形成された少なくとも３つのガイド孔を含んでもよい。
【００２３】
すなわち、前記ヘッド部には２つの前記ガイド孔が形成され、前記細長型プレートには１つの前記ガイド孔が形成されるが、前記細長型プレートに形成される前記ガイド孔は膝蓋骨側に形成されることを特徴とする。
また、既に設定された前記間隔は１７〜２１ｍｍであってもよい。
【発明の効果】
【００２４】
前記のような構成を有する本発明の好ましい一実施形態によるオープンウェッジ高位脛骨骨切り術のための固定器具は、高位脛骨骨切り術の施術によって切開された脛骨に密着して固定され、前記脛骨が堅固に癒合できるようにする。
【００２５】
すなわち、前記固定プレートを所定の曲率で湾曲するように形成し、前記固定プレートの一領域を折り曲げて脛骨に密着されることによって脛骨との一体性が向上する。
【００２６】
また、ガイドピンを用いて前記オープンウェッジ高位脛骨骨切り術のための固定器具を臨時固定することによってオープンウェッジ高位脛骨骨切り術の施術の便宜性を図ることができる。
【図面の簡単な説明】
【００２７】
【図１】高位脛骨骨切り術の施術を要する人のＸ線写真である。
【図２】従来の高位脛骨骨切り術用結束具を示す図である。
【図３】本発明の好ましい一実施形態によるオープンウェッジ高位脛骨骨切り術のための固定器具の実施図である。
【図４】本発明の好ましい一実施形態によるオープンウェッジ高位脛骨骨切り術のための固定器具を示す斜視図である。
【図５】本発明の好ましい一実施形態によるオープンウェッジ高位脛骨骨切り術のための固定器具の左、右側固定プレートを示す図である。
【図６】本発明の好ましい一実施形態によるオープンウェッジ高位脛骨骨切り術のための固定器具のヘッド部および細長型プレートの曲率半径を示す図である。
【図７】本発明の好ましい一実施形態によるオープンウェッジ高位脛骨骨切り術のための固定器具の側面図である。
【発明を実施するための形態】
【００２８】
以下、本発明の技術的課題に関する解決案を明らかにするために添付図面を参照して本発明の好ましい実施形態を詳細に説明する。但し、本発明を説明するにおいて関連の公知技術に関する説明が却って本発明の要旨を不明瞭にする場合、それに関する説明は省略することにする。また、後述する用語は本発明での機能を考慮して定義された用語であり、これは設計者、製造者などの意図または慣例などによって変わりうる。よって、その定義は本明細書の全般にわたった内容に基づいて下されなければならない。また、明細書の全体にかけて同一の図面番号（参照番号）で示された部分は同一の要素を示す。
【００２９】
以下、本発明の好ましい一実施形態によるオープンウェッジ高位脛骨骨切り術のための固定器具について説明する。
【００３０】
図３を参照すれば、脛骨２を切開するオープンウェッジ高位脛骨骨切り術の施術により、切開部３が形成される。それにより、脛骨２は上部脛骨２ａと下部脛骨２ｂに区分される。
【００３１】
本発明の好ましい一実施形態によるオープンウェッジ高位脛骨骨切り術のための固定器具１は、脛骨骨切り術によって切開された上部脛骨２ａと下部脛骨２ｂに密着して固定され、手術後に上部脛骨２ａと下部脛骨２ｂの癒合を容易にする。
【００３２】
また、前記オープンウェッジ高位脛骨骨切り術のための固定器具１は、上部脛骨２ａと下部脛骨２ｂが癒合する時まで脛骨２に印加される荷重を支持する。
【００３３】
図４〜図７を参照すれば、前記オープンウェッジ高位脛骨骨切り術のための固定器具１は、固定プレート１００、スクリュー２００、および支持スクリュー３００を含むことができる。
【００３４】
図５に示すように、固定プレート１００は左側Ｌと右側Ｒに区分され、手術される脛骨２に応じて選択的に使用できる。
【００３５】
固定プレート１００はヘッド部１１０および細長型プレート１３０を含むことができる。
【００３６】
細長型プレート１３０はヘッド部１１０の一側から突出して形成され、それにより、固定プレート１００は、図５に示すようにＴ字形で形成される。
【００３７】
ここで、固定プレート１００の厚さは３ｍｍ程度であり、固定プレート１００の全体長さは１００〜１０３ｍｍであり、ヘッド部１１０の長さ方向の長さは３１ｍｍであることが好ましい。
【００３８】
ヘッド部１１０と細長型プレート１３０の各々にはスクリュー２００が結合されるように複数のナット孔１１１ａ、１１１ｂ、１３１ａ、１３１ｂが形成される。本発明を明確に説明するために、複数のナット孔１１１ａ、１１１ｂ、１３１ａ、１３１ｂは、ヘッド部１１０に形成されたヘッドナット孔１１１ａ、１１１ｂと、細長型プレート１３０に形成されたナット孔１３１ａ、１３１ｂに区分することができる。また、細長型プレート１３０に形成されたナット孔１３１ａ、１３１ｂは、形成位置に応じて、上部ナット孔１３１ａと下部ナット孔１３１ｂに区分することができる。
【００３９】
ここで、ナット孔１１１ａ、１１１ｂ、１３１ａ、１３１ｂはテーパー形状で切開された上広下狭の形態で形成される。それにより、スクリュー２００の頭部はナット孔１１１ａ、１１１ｂ、１３１ａ、１３１ｂに形状がマッチングする。そして、スクリュー２００の頭部はナット孔１１１ａ、１１１ｂ、１３１ａ、１３１ｂによって支持される。
【００４０】
図６を参照すれば、ヘッド部１１０は所定の曲率半径Ｒ１で湾曲して形成される。好ましくは、ヘッド部１１０のヘッド密着面１１２が上部脛骨２ａの外側面の一側に密着できるように、ヘッド密着面１１２は所定の曲率半径Ｒ１で湾曲して形成される。
【００４１】
そして、ヘッド部１１０のヘッド密着面１１２が湾曲して形成されることにより、図６に示すように、ヘッドナット孔１１１ｂに設けられるスクリュー２００は曲率半径Ｒ１の中心に向かって傾斜して設けられることができる。
【００４２】
勿論、上述したように、ヘッドナット孔１１１ｂに設けられるスクリュー２００は曲率半径Ｒ１の中心に向かって傾斜して設けられてもよいが、必ずしもこれに限定されるものではなく、ヘッドナット孔１１１ｂの形成角度を調節してヘッドナット孔１１１ｂに設けられるスクリュー２００の設置角度を調節できることは勿論である。
【００４３】
それにより、ヘッドナット孔１１１ａに設けられるスクリュー２００とヘッドナット孔１１１ｂに設けられるスクリュー２００の離隔間隔を考慮して、図６に示すように、ヘッドナット孔１１１ｂに設けられるスクリュー２００はヘッドナット孔１１１ａに設けられるスクリュー２００の長さ方向の中心軸を基準に２〜４度程度傾斜して設けられることができ、３度程度傾斜して設けられることが好ましい。
【００４４】
すなわち、ヘッドナット孔１１１ｂに設けられるスクリュー２００はヘッド部１１０の中心と曲率半径Ｒ１の中心をつなぐ中心線に向かって設けられるが、ヘッドナット孔１１１ｂに設けられるスクリュー２００の先端は前記中心線から離隔して設けられる。
【００４５】
一方、図７に示すように、ヘッド部１１０に形成されたヘッドナット孔１１１ａ、１１１ｂは細長型プレート１３０方向に８〜１２度の傾きで形成されることができる。好ましくは、１０度の傾きで形成される。
【００４６】
したがって、ヘッド部１１０に形成されたヘッドナット孔１１１ａ、１１１ｂに設けられるスクリュー２００は細長型プレート１３０方向に１０度の傾きで上部脛骨２ａに設けられる。それにより、上部脛骨２ａに設けられる複数のスクリュー２００は、前記オープンウェッジ高位脛骨骨切り術のための固定器具１に印加される荷重に容易に対応することができる。
【００４７】
また、ヘッドナット孔１１１ａ、１１１ｂに設けられるスクリュー２００は細長型プレート１３０方向に１０度の傾きで上部脛骨２ａに固定設置されるため、外力および前記荷重によって容易に上部脛骨２ａから離脱しない。
【００４８】
ヘッド部１１０は、図５に示すように、ヘッド部１１０の中心を横切る仮想の水平線Ｈを基準に傾斜角θ１を有するように傾斜して形成されることができる。すなわち、ヘッド部１１０において、細長型プレート１３０が延設される側の向かい側のエッジは傾斜角θ１を有するように傾斜して形成されることができる。
【００４９】
ここで、傾斜角θ１は５〜７度であることが好ましい。
それにより、細長型プレート１３０の末端からヘッド部１１０の側面エッジの一側の高さｈ１は他側の高さｈ２より高くなる。
【００５０】
一側の側面エッジｈ１が他側の高さｈ２より高いため、前記オープンウェッジ高位脛骨骨切り術のための固定器具１の側面エッジｈ１側が脛骨２との接触面積が大きくなる。よって、側面エッジｈ１側を脛骨２の前方側（膝蓋骨側）に位置するように施術することにより、脛骨２の前方側に印加される荷重により容易に対応することができる。また、脛骨２の前方側から印加される外力に対しても容易に対応することができる。
【００５１】
ヘッド部１１０は、ガイドピン（図示せず）が設けられるように形成された少なくとも２つのガイド孔１１３をさらに含むことができる。
【００５２】
スクリュー２００の設置前に、前記ガイドピンを、ガイド孔１１３を貫通して上部脛骨２ａに設けることによって、固定プレート１００のヘッド部１１０を臨時固定する。
【００５３】
それにより、固定プレート１００にスクリュー２００の設置時、前記ガイドピンは固定プレート１００が線形的に流動するのを防止する。また、手術する者が固定プレート１００をつかんでスクリュー２００を設置しなくてもよい。
【００５４】
以下、図５〜図７を参照して細長型プレート１３０について説明する。
図６に示すように、細長型プレート１３０は幅方向に湾曲して形成されることができる。
【００５５】
細長型プレート１３０は所定の曲率半径Ｒ２で湾曲して形成される。好ましくは、細長型プレート１３０のプレート密着面１３３が下部脛骨２ｂの外側面の一側に密着できるように、プレート密着面１３３は所定の曲率半径Ｒ２で湾曲して形成される。
【００５６】
プレート密着面１３３の曲率半径Ｒ２はヘッド密着面１１２の曲率半径Ｒ１とは異なるように形成されてもよい。好ましくは、プレート密着面１３３の曲率半径Ｒ２はヘッド密着面１１２の曲率半径Ｒ１より大きく形成されることができる。
【００５７】
すなわち、下部脛骨２ｂの外側面の場合、上部脛骨２ａとは異なって平たい外側面を備えることができるため、脛骨骨切り術が施術される脛骨２の位置に応じて、プレート密着面１３３の曲率半径Ｒ２はヘッド密着面１１２の曲率半径Ｒ１より大きく形成されることができる。
【００５８】
図７を参照すれば、ヘッド部１１０と延設される細長型プレート１３０の一領域は曲げ角度θ２を有するように折り曲げられて形成される。ここで、曲げ角度θ２は１３〜１６度であってもよく、１５度であることが好ましい。
【００５９】
上部脛骨２ａの外径は下部脛骨２ｂの外径より大きいため、曲げ角度θ２を有してヘッド部１１０から折り曲げられて形成された細長型プレート１３０は下部脛骨２ｂに容易に密着する。
【００６０】
一方、細長型プレート１３０はヘッド部１１０の一側から突出して形成され、上部ナット孔１３１ａ、下部ナット孔１３１ｂおよび長孔１３２を備えることができる。
【００６１】
上部ナット孔１３１ａは、図４および図５に示すように、ヘッド部１１０側の細長型プレート１３０に形成されることができる。そして、上部ナット孔１３１ａにはスクリュー２００が貫通するように設けられる。ここで、上部ナット孔１３１ａに設けられるスクリュー２００はヘッド部１１０側に傾斜して上部脛骨２ａに固定設置されることができる。
【００６２】
図７に示すように、上部ナット孔１３１ａに設けられるスクリュー２００とヘッドナット孔１１１ａ、１１１ｂとスクリュー２００がなす角度は１１〜１３度が好ましい。
【００６３】
それにより、上部ナット孔１３１ａに設けられるスクリュー２００は切開部３に露出されるのが防止される。
【００６４】
また、上部ナット孔１３１ａに設けられるスクリュー２００の長さはヘッド部１１０に設けられるスクリュー２００の長さより小さいことを特徴とする。よって、スクリュー２００の設置時、上部ナット孔１３１ａに設けられるスクリュー２００とヘッド部１１０に設けられるスクリュー２００は互いに干渉しない。
【００６５】
上部ナット孔１３１ａと下部ナット孔１３１ｂとの間に形成される長孔１３２は細長型プレート１３０の長さ方向に長く形成される。
【００６６】
そして、長孔１３２は上部ナット孔１３１ａから既に設定された間隔ｄで離隔して形成されることができる。ここで、既に設定された間隔ｄは切開部３の間隔を考慮して１７〜２１ｍｍであってもよく、長孔１３２に設けられる支持スクリュー３００の支持および支持スクリュー３００による下部脛骨２ｂの破断可能性を考慮して２１ｍｍであることが好ましい。
【００６７】
長孔１３２には支持スクリュー３００が設けられることができる。
よって、支持スクリュー３００は長孔１３２に沿って移動した後に下部脛骨２ｂに固定設置される。
【００６８】
一方、細長型プレート１３０には、図４および図５に示すように、複数の下部ナット孔１３１ｂが形成されることができる。そして、下部ナット孔１３１ｂにはスクリュー２００が設けられることにより、細長型プレート１３０は下部脛骨２ｂに密着して設けられる。
【００６９】
ここで、複数の下部ナット孔１３１ｂは細長型プレート１３０の長さ方向に沿ってジグザグ形態になるように配置されることができる。
【００７０】
よって、下部ナット孔１３１ｂにジグザグ形態で設けられるスクリュー２００は、細長型プレート１３０の長さ方向の中心軸に印加される荷重を幅方向に分散する。
【００７１】
また、細長型プレート１３０の長さ方向の中心軸に沿って形成される下部ナット孔１３１ｂと比較する時、ジグザグ形態で設けられる下部ナット孔１３１ｂ間の離隔距離は、細長型プレート１３０の長さ方向の中心軸に沿って形成される下部ナット孔１３１ｂより遠い。
【００７２】
よって、下部ナット孔１３１ｂに設けられるスクリュー２００間の距離も遠くなる。すなわち、下部ナット孔１３１ｂに設けられるスクリュー２００の離隔距離が遠くなることによって下部脛骨２ｂの破断可能性は減少する。
【００７３】
一方、細長型プレート１３０にはガイド孔１３４がさらに形成されることができる。
【００７４】
ガイド孔１３４にはガイドピン（図示せず）が設けられて細長型プレート１３０を下部脛骨２ｂに臨時固定する。
【００７５】
よって、固定プレート１００は、図４および図５に示すように、ヘッド部１１０に２つ、細長型プレート１３０に１つのガイド孔１１３，１３４を備える。
【００７６】
特に、細長型プレート１３０に形成されるガイド孔１３４は膝蓋骨側に形成されることができる。オープンウェッジ高位脛骨骨切り術を受ける者は横になって手術を受けるため、膝蓋骨側に細長型プレート１３０にガイド孔１３４を形成することによって前記ガイドピンを容易に設置することができる。
【００７７】
上述したように、固定プレート１００は少なくとも３つのガイド孔１１３，１３４を備える。
【００７８】
それにより、固定プレート１００は３点に臨時固定されるため、線形方向の流動だけでなく回転方向の流動も防止することができる。そして、固定プレート１００にはスクリュー２００が設けられて、固定プレート１００を脛骨２に密着固定されるようにする。その後、前記ガイドピンは除去される。
【００７９】
総合してみれば、前記オープンウェッジ高位脛骨骨切り術のための固定器具１は高位脛骨骨切り術によって切開された脛骨２に密着して固定され、脛骨２に印加される荷重を支持することによって、切開部３に骨が成長して迅速に付くようにする。
【００８０】
本発明による様々な実施形態は、当該技術分野は勿論、関連の技術分野で本明細書に言及された内容以外の他の色々な技術的課題を解決できることは勿論である。
【００８１】
以上、本発明について実施形態を参照して説明した。しかし、当業者であれば、本発明の本質的な技術的思想から逸脱しない範囲内で様々な形態の変形が可能であるということを理解することができるであろう。よって、開示された実施形態は限定的な観点ではなく説明的な観点で考慮しなければならない。すなわち、本発明の真の技術的範囲は添付された特許請求の範囲に示されており、それと均等な範囲内にある全ての差異点は本発明に含まれると解釈しなければならない。
【図１】
2017511194.tif 000003
【図２】
2017511194.tif 000004
【図３】
2017511194.tif 000005
【図４】
2017511194.tif 000006
【図５】
2017511194.tif 000007
【図６】
2017511194.tif 000008
【図７】
2017511194.tif 000009
【国際調査報告】
2017511194.tif 000010
2017511194.tif 000011
2017511194.tif 000012
2017511194.tif 000013
2017511194.tif 000014
2017511194.tif 000015
2017511194.tif 000016
2017511194.tif 000017
2017511194.tif 000018
2017511194.tif 000019